(57)【要約】      （修正有）【課題】各種ウイルスの飛沫感染予防に役立つテーブル用衝立を提供する。【解決手段】テーブル用衝立Ｐ２は、天板上に載置される台板と、その上面へ水平板片１４が取り付け固定された互いに同じ一対のアングル受け座１３、１３と、その両アングル受け座１３、１３における垂直板片１５、１５同士が向かい合う相互間へ差し込み垂立される透明又は半透明の仕切り板１２とから成り、両アングル受け座１３、１３の垂直板片１５、１５へ相反する横方向から各々螺入される複数ずつの止めネジ１７、１７によって、仕切り板１２を抜け止め状態に挟み付け固定した。【選択図】図６
0003227891.tif 000002
【実用新案登録請求の範囲】
【請求項１】
机や食卓、カウンターなどの天板上に載置されるスチール製台板と、その台板上へ水平板片が重合状態に取り付け固定された一対のスチール製アングル受け座と、その両アングル受け座における平行な垂直板片同士が向かい合う相互間へ差し込み垂立される透明又は半透明の硬質な合成樹脂製仕切り板とから成り、
上記アングル受け座における何れか一方の垂直板片へ横方向から螺入される複数の六角穴付き又は溝付き止めネジによって、同じくアングル受け座における残る他方の垂直板片へ上記仕切り板を抜け止め状態に押し付け固定したことを特徴とするテーブル用衝立。
【請求項２】
机や食卓、カウンターなどの天板上に載置されるスチール製台板と、その台板上へ水平板片が重合状態に取り付け固定された互いに同じ一対のスチール製アングル受け座と、その両アングル受け座における平行な垂直板片同士が向かい合う相互間へ差し込み垂立される透明又は半透明の硬質な合成樹脂製仕切り板とから成り、
上記両アングル受け座の垂直板片へ相反する横方向から各々螺入される複数ずつの六角穴付き又は溝付き止めネジによって、上記仕切り板を抜け止め状態に挟み付け固定したことを特徴とするテーブル用衝立。
【請求項３】
両アングル受け座の水平板片を台板の上面へ溶接又は複数の皿ビスによって取り付け固定したことを特徴とする請求項１又は２記載のテーブル用衝立。
【請求項４】
複数ずつの六角穴付き又は溝付き止めネジによる仕切り板の押し付け位置を、その悉く異なる位置として点在分布させたことを特徴とする請求項２記載のテーブル用衝立。
【請求項５】
各アングル受け座の垂直板片へ六角穴付き又は溝付き止めネジ受け入れ用ネジ孔の一対を、その垂直板片の長手方向における両端からの間隔距離が互いに相違する位置関係として開口形成したことを特徴とする請求項２記載のテーブル用衝立。
【請求項６】
各アングル受け座の水平板片へ皿ビス受け入れ用皿穴の一対を、その水平板片の長手方向における両端からの間隔距離が互いに相違する位置関係として開口分布させると共に、
各アングル受け座の水平板片よりも厚肉な台板へ、上記皿穴と合致連通する皿ビス受け入れ用ネジ孔の一対を開口形成したことを特徴とする請求項２記載のテーブル用衝立。
【考案の詳細な説明】
【技術分野】
【０００１】
本考案は机や食卓、カウンターなどの天板上へ戴置するだけで、その天板上の空間を確固に安定良く仕切ることができる簡便なテーブル用衝立に関する。
【背景技術】
【０００２】
机の天板上に広がる空間を仕切る状態と開放する状態に切り替え可能なディスクパーテーションが、特許文献１に開示されている。
これはディスクパーテーションを天板上へ、嵌め合いやボルト止めなどの手段によって取り付け固定しておらず、その天板に対する取り付け作業と取りはずし作業を行うことなく、天板上の空間を仕切る状態と開放する状態に切り替えることができるようになっている点で、本考案に近似する公知技術である。
【先行技術文献】
【特許文献】
【０００３】
【特許文献１】特開２０１３−２２０１２９号公報
【考案の概要】
【考案が解決しようとする課題】
【０００４】
ところが、上記特許文献１に開示されたディスクパーテーションの構成では、ベース体（１０）がアルミ押出材から成り、その両端のエンドキャップ（１７）とスライダー（３０）は合成樹脂製として、全体的に軽量なディスクパーテーションであるため、それ自身を机の天板上へ不慮に動かぬ固定状態に安定良く設置することができず、このことはパネル体（２０）の大型化すればする程、顕著となる。
【０００５】
その防止上、ベース体（１０）の底面に設けられる粘着部（１６）は必要不可欠であり、そうするとディスクパーテーション自身の設置個所（天板上における空間の仕切り位置）を変更・調整する場合、その粘着部（１６）によるベース体（１０）の粘着状態を引き剥がさなければならず、その操作上甚だ煩わしいばかりでなく、反復的な引き剥がしの痕跡が机の天板上を見苦しく汚損することにもなる。
【課題を解決するための手段】
【０００６】
本考案はこのような課題の改良を目的としており、その目的を達成するために、請求項１では机や食卓、カウンターなどの天板上に載置されるスチール製台板と、その台板上へ水平板片が重合状態に取り付け固定された一対のスチール製アングル受け座と、その両アングル受け座における平行な垂直板片同士が向かい合う相互間へ差し込み垂立される透明又は半透明の硬質な合成樹脂製仕切り板とから成り、
【０００７】
上記アングル受け座における何れか一方の垂直板片へ横方向から螺入される複数の六角穴付き又は溝付き止めネジによって、同じくアングル受け座における残る他方の垂直板片へ上記仕切り板を抜け止め状態に押し付け固定したことを特徴とする。
【０００８】
他方、請求項２では机や食卓、カウンターなどの天板上に載置されるスチール製台板と、その台板上へ水平板片が重合状態に取り付け固定された互いに同じ一対のスチール製アングル受け座と、その両アングル受け座における平行な垂直板片同士が向かい合う相互間へ差し込み垂立される透明又は半透明の硬質な合成樹脂製仕切り板とから成り、
【０００９】
上記両アングル受け座の垂直板片へ相反する横方向から各々螺入される複数ずつの六角穴付き又は溝付き止めネジによって、上記仕切り板を抜け止め状態に挟み付け固定したことを特徴とする。
【００１０】
その場合、請求項３では両アングル受け座の水平板片を台板の上面へ溶接又は複数の皿ビスによって取り付け固定したことを特徴とする。
【００１１】
また、請求項４では複数ずつの六角穴付き又は溝付き止めネジによる仕切り板の押し付け位置を、その悉く異なる位置として点在分布させたことを特徴とする。
【００１２】
請求項５では各アングル受け座の垂直板片へ六角穴付き又は溝付き止めネジ受け入れ用ネジ孔の一対を、その垂直板片の長手方向における両端からの間隔距離が互いに相違する位置関係として開口形成したことを特徴とする。
【００１３】
更に、請求項６では各アングル受け座の水平板片へ皿ビス受け入れ用皿穴の一対を、その水平板片の長手方向における両端からの間隔距離が互いに相違する位置関係として開口分布させると共に、
各アングル受け座の水平板片よりも厚肉な台板へ、上記皿穴と合致連通する皿ビス受け入れ用ネジ孔の一対を開口形成したことを特徴とする。
【考案の効果】
【００１４】
請求項１の上記構成によれば、天板上に載置される台板と、その上面へ重合状態に取り付け固定された一対のアングル受け座とがスチール製として、これにより合成樹脂製の仕切り板を支持しているため、その両アングル受け座と台板とが重錘（言わば文鎮）として働き、天板上へ単に載置するだけであっても、仕切り板の転倒や仕切り位置の狂いなどを生じるおそれがなく、常時安定・確固な自立状態に保つことができ、冒頭に挙げた従来技術のようにベース体の底面へ粘着部を設ける必要はない。
【００１５】
しかも、上記合板と両アングル受け座はスチール製であり、重錘として機能するため、その小型であっても各種大きさの合成樹脂製仕切り板を安定良く支持することができる。これを換言すれば、据え付けスペースが狭小で足りるため、使用個所の制約を受けない効果もある。
【００１６】
このような諸効果は請求項２の構成からも得られるが、特に請求項２の構成によれば、両アングル受け座の垂直板片へ相反する横方向（左右両方向／前後両方向）から各々螺入される複数ずつの止めネジによって、仕切り板を挟み付け固定するようになっているため、その仕切り板の厚み変化があっても、これを両アングル受け座の相互間から決して抜け出さない垂立状態に保つことができるのであり、組立強度と安定性に優れる。
【００１７】
その場合、請求項３の構成を採用するならば、両アングル受け座と台板とは何れもスチール製であるため、溶接によって重合一体化することができ、また溶接に代わる複数の皿ビスによって取り付け固定するならば、その分解や交換も行える効果がある。
【００１８】
請求項４の構成を採用するならば、両アングル受け座の垂直板片へ相反する横方向から各々螺入される複数ずつの止めネジによって、仕切り板を挟み付け固定する場合に、その止めネジの先端による仕切り板の押し付け位置が、悉く異なる位置として点在分布するため、その複数ずつの止めネジによって仕切り板全体をますます安定良く強固に支持できる効果がある。
【００１９】
また、請求項５の構成を採用するならば、その構成を備えたアングル受け座の一対を、３６０度の回転対称形態として台板へ取り付け固定することができ、その組立を容易に行えると共に最大限の量産効果を得られる。
【００２０】
更に、請求項６の構成を採用するならば、その構成を備えたアングル受け座の一対を、３６０度の回転対称形態として台板へ、複数ずつの皿ビスによって容易に取り付け固定することができ、その組立上の利便性と量産性に優れる。
【図面の簡単な説明】
【００２１】
【図１】本考案の第１実施形態に係るテーブル用衝立を示す斜面図である。
【図２】図１の部分拡大正面図である。
【図３】図２の３−３線断面図である。
【図４】同じく図２の４−４線断面図である。
【図５】本考案の第２実施形態に係るテーブル用衝立を示す図２に対応する部分拡大正面図である。
【図６】図５の６−６線断面図である。
【図７】同じく図５の７−７線断面図である。
【図８】図７の分解状態を示す部分拡大図である。
【図９】使用状態の一例を示す斜面図である。
【図１０】使用状態の別な一例を示す斜面図である。
【考案を実施するための形態】
【００２２】
以下、図面に基いて本考案の構成を具体的に詳述すると、図１〜４はその第１実施形態に係るテーブル用衝立（Ｐ１）を示しており、これは机や食卓、カウンターなどの天板（１０）上に戴置されることとなる台板（１１）と、その天板（１０）上の空間を仕切るための仕切り板（１２）と、その仕切り板（１２）を受け止め支持する向かい合う一対のアングル受け座（１３ａ）（１３ｂ）とから成る。
【００２３】
そのテーブル用衝立（Ｐ１）における上記構成部材のうち、先ず台板（１１）は一定な幅（例えば５８ｍｍ）と長さ（例えば１５０ｍｍ）並びに厚み（例えば３ｍｍ）を備えた長方形のスチールプレートであり、上記衝立（Ｐ１）を不慮に動かぬ固定状態に安定良く自立させる重錘（言わば文鎮）としての機能も発揮し得るようになっている。
【００２４】
また、仕切り板（１２）は一定な厚み（Ｔ）（例えば３〜５ｍｍ）の透明又は目隠しできるすりガラス調などの半透明なアクリル樹脂やＰＥＴ樹脂、その他の硬質合成樹脂パネルであって、上記天板（１０）の奥行寸法（Ｘ）や幅寸法（Ｗ）に対応する寸法の横辺（Ｙ）と、その天板（１０）から垂立する希望の背丈寸法になる縦辺（Ｈ）とを備えた長方形又は正方形に作成されるが、その上端コーナー部は安全な円弧状に造形される。
【００２５】
つまり、例えば図９のような飲食店のカウンター（Ｃ）に横並びする客人同士の横側を仕切るような場合には、そのカウンター（Ｃ）における天板（１０）の奥行寸法（Ｘ）と対応する横辺（Ｙ）を備えた大きさの仕切り板（１２）として、他方例えば図１０のような事務所の机（Ｄ）に対面式として向かい合う事務員同士の前側を仕切るような場合には、その机（Ｄ）における天板（１０）の幅寸法（Ｗ）と対応する横辺（Ｙ）を備えた大きさの仕切り板（１２）として、その各種大きさの仕切り板（１２）を作成しておき、設置個所に応じて使用する趣旨である。
【００２６】
因みに、その仕切り板（１２）の各種大きさとしては、横辺（Ｙ）：４００ｍｍ×縦辺（Ｈ）：３３０ｍｍ×厚み（Ｔ）：３ｍｍの小型から、同じく横辺（Ｙ）：１２００ｍｍ×縦辺（Ｈ）：６５０ｍｍ×厚み（Ｔ）：５ｍｍの大型まで用意されている。
【００２７】
更に、上記仕切り板（１２）を支持する向かい合う一対のアングル受け座（１３ａ）（１３ｂ）は、一定な厚み（上記台板よりも薄肉な例えば２ｍｍ）のスチールプレートからほぼＬ字形（アングル状）に折り曲げられているが、そのアングル受け座（１３ａ）（１３ｂ）の長さ(例えば１５０ｍｍ)は上記台板（１１）のそれと同じ寸法として、その向かい合う一対が台板（１１）上へ並列し得るようになっている。
【００２８】
その場合、図示実施形態のアングル受け座（１３ａ）（１３ｂ）は言わば半折り形態として、その水平板片（１４）（１４）の幅（例えば２６．５ｍｍ）と垂直板片（１５）（１５）の高さ（例えば２６．５ｍｍ）とが同じ寸法になっているが、その幅寸法と高さ寸法については、好ましくは前者が後者よりも大きな寸法として、互いに相違させてもさしつかえない。
【００２９】
何れにしても、上記アングル受け座（１３ａ）（１３ｂ）における何れか一方又は双方の垂直板片（１５）（１５）には、後述する六角穴付き又は溝付きの止めネジ（俗称：イモネジ）を受け入れるネジ孔（１６）の一対が開口分布されている。
【００３０】
図示の実施形態では図２、３から明白なように、一方のアングル受け座（１３ａ）における垂直板片（１５）へ一対の止めネジ受け入れ用ネジ孔（１６）を、その垂直板片（１５）の長手方向における両端からの間隔距離（Ｌ）が同じ対称な位置関係として開口形成しているが、そのネジ孔（１６）の個数と開口分布位置は図示の形態のみに限らず、仕切り板（１２）の大きさを考慮して適当に設定することができ、残る他方のアングル受け座（１３ｂ）における垂直板片（１５）にも、複数のネジ孔（１６）を同様な分布状態に開口形成しても良い。
【００３１】
そして、向かい合う一対のアングル受け座（１３ａ）（１３ｂ）における水平板片（１４）（１４）は上記台板（１１）の上面へ並列され、溶接（スポット溶接）を介して重合状態に取り付け固定されるのであり、そうすればその平行な垂直板片（１５）（１５）同士の向かい合う相互間が、一定な開口幅（例えば５ｍｍ）（Ｓ）の仕切り板受け入れ凹溝（Ｇ）として区画形成されることになる。
【００３２】
そのため図２〜４に示す如く、その両アングル受け受け座（１３ａ）（１３ｂ）の仕切り板受け入れ凹溝（Ｇ）へ上記仕切り板（１２）を差し込み垂立させ、その一方のアングル受け座（１３ａ）における垂直板片（１５）に開口分布している止めネジ受け入れ用ネジ孔（１６）へ、横方向から六角穴付き又は溝付き止めネジ（俗称：イモネジ）（１７）の一対を螺入して、その先端により仕切り板（１２）を残る他方のアングル受け座（１３ｂ）における垂直板片（１５）へ押し付け、その仕切り板受け入れ凹溝（Ｇ）からの抜け止め状態に固定保持することができ、上記重錘として働く台板（１１）とも相俟って、不慮に動かない安定・確固なテーブル用衝立（Ｐ１）として据え立て使用し得るのである。尚、上記止めネジ（１７）の太さは一例として６ｍｍ（Ｍ６）である。
【００３３】
次に、図５〜８は本考案の第２実施形態に係るテーブル用衝立（Ｐ２）を示しており、これでは図１〜４の上記第１実施形態と異なる下記の構成を採用している。
【００３４】
即ち、そのテーブル用衝立（Ｐ２）をなす向かい合う一対のアングル受け座（１３）（１３）は、互いに同じ構成を備えており、その各アングル受け座（１３）（１３）の垂直板片（１５）（１５）には六角穴付き又は溝付きの止めネジ（１７）（１７）を受け入れるネジ孔（１６）（１６）の一対が、その垂直板片（１５）（１５）の長手方向における両端からの互いに相違する間隔距離（Ｌ１）（Ｌ２）を保つ位置関係として開口分布されている。
【００３５】
図５、６から明白なように、その両止めネジ受け入れ用ネジ孔（１６）（１６）のうち、何れか一方のネジ孔（１６）が上記垂直板片（１５）の長手方向における一端から長い（遠い）間隔距離（Ｌ１）（例えば２２ｍｍ）を保つ位置に開口形成されているに比して、残る他方のネジ孔（１６）は同じく垂直板片（１５）の長手方向における他端から短い（近い）間隔距離（Ｌ２）（例えば１２ｍｍ）を保つ位置に開口形成されているのである。
【００３６】
また、両アングル受け座（１３）（１３）の水平板片（１４）（１４）は台板（１１）の上面へ並列され、上記第１実施形態の溶接に代わる複数の皿ビス（１８）（１８）を介して、やはり重合状態に取り付け固定されている。そのため、その皿ビス（１８）（１８）の抜き取りによって、各アングル受け座（１３）（１３）とその台板（１１）とを分解することも可能である。
【００３７】
その場合、図５〜８から明白なように、各アングル受け座（１３）（１３）の水平板片（１４）（１４）には皿ビス（１８）（１８）を受け入れる皿穴（バカ穴）（１９）（１９）の一対が、その水平板片（１４）（１４）の長手方向における両端からの互いに相違する間隔距離（Ｌ１）（Ｌ２）を保つ位置関係として開口分布されており、その皿穴（１９）（１９）と合致連通する皿ビス受け入れ用ネジ孔（２０）（２０）の一対が、上記アングル受け座（１３）（１３）よりも厚肉な台板（１１）に対応開口されている。
【００３８】
つまり、両皿ビス受け入れ用皿穴（１９）（１９）のうち、その何れか一方の皿穴（１９）が上記水平板片（１４）の長手方向における一端から、好ましくは上記止めネジ受け入れ用ネジ孔（１６）の短い（近い）間隔距離（Ｌ２）と同等の短い（近い）間隔距離（Ｌ２）（例えば１２ｍｍ）を保つ位置に開口形成されているに比して、残る他方の皿穴（１９）は同じく水平板片（１４）の長手方向における他端から、望ましくは上記止めネジ受け入れ用ネジ孔（１６）の長い（遠い）間隔距離（Ｌ１）と同等の長い（遠い）間隔距離（Ｌ１）（例えば２２ｍｍ）を保つ位置に開口形成されているのである。
【００３９】
更に言えば、上記アングル受け座（１３）（１３）の水平板片（１４）（１４）と垂直板片（１５）（１５）とは同じ長さ（先に例示した１５０ｍｍ）だけ延在するため、その垂直板片（１５）（１５）に止めネジ（１７）（１７）の受け入れ用ネジ孔（１６）（１６）を有し、水平板片（１４）（１４）に皿ビス（１８）（１８）の受け入れ用皿穴（１９）（１９）を有するアングル受け座（１３）（１３）の各個は、図６から確認できるように３６０度回転させれば、その向かい合う一対として互いに同じ構成となり、３６０度の回転対称形態をなしていることが明白である。
【００４０】
そのため、その垂直板片（１５）（１５）の止めネジ受け入れ用ネジ孔（１６）（１６）や水平板片（１４）（１４）の皿ビス受け入れ用皿穴（１９）（１９）も備えた構成の互いに同じ両アングル受け座（１３）（１３）を、その垂直板片（１５）（１５）同士が図６のように平行する向かい合う一対として、共通の台板（１１）上へ取り付け固定した状態では、その何れか一方の垂直板片（１５）に開口する複数の止めネジ受け入れ用ネジ孔（１６）（１６）と、残る他方の垂直板片（１５）に開口する複数の止めネジ受け入れ用ネジ孔（１６）（１６）とが、互いに位置ズレ（位相変化）した点在分布状態となり、その相反する横方向（左右両方向／前後両方向）から上記止めネジ受け入れ用ネジ孔（１６）（１６）の各個へ螺入される六角穴付き又は溝付き止めネジ（１７）（１７）は、同一軸線上に対応合致しない。
【００４１】
これを換言すれば、上記第２実施形態のテーブル用衝立（Ｐ２）では図６、７から明白なように、両アングル受け座（１３）（１３）の仕切り板受け入れ凹溝（Ｇ）へ差し込み垂立させた仕切り板（１２）の悉く異なる点在分布位置を、その相反する横方向から螺入される複数ずつの六角穴付き又は溝付き止めネジ（俗称：イモネジ）（１７）（１７）によって押し付け、その全体として仕切り板（１２）を上記仕切り板受け入れ凹溝（Ｇ）からの抜け止め状態に挟み付け固定保持するようになっているのである。
【００４２】
尚、図５〜８の第２実施形態におけるその他の構成は、図１〜４の上記第１実施形態と実質的に同じであるため、その図５〜８に図１〜４と共通の符号を記入するにとどめて、その詳細な説明を省略する。
【００４３】
第１、２実施形態のテーブル用衝立（Ｐ１）（Ｐ２）は上記した構成を備えているため、その仕切り板（１２）を片手や両手の指先により掴んで持ち運びすることができ、その使用に当っては図９に例示する如く、飲食店におけるカウンター（Ｃ）の天板（１０）上へ所要間隔おきに載置して、その天板（１０）上の空間を自立した仕切り板（１２）での横断状態に仕切ることにより、その細長いカウンター（Ｃ）に横並びする客人同士の隣り合う相互間において、その飲食中に飛沫が飛び交うことを遮断し、新型コロナやインフルエンザなどの各種ウイルスの飛沫感染を予防することに役立てれば良い。
【００４４】
その場合、仕切り板（１２）としてはすりガラス調やその他の目隠しできる半透明なアクリル樹脂パネルを採用することが好ましい。また、上記カウンター（Ｃ）における天板（１０）の奥行寸法（Ｘ）が比較的浅く、横辺（Ｙ）の短い小型の仕切り板（１２）で足りるならば、その仕切り板（１２）における中央部の１個所だけを、一対のアングル受け座（１３）（１３）（１３ａ）（１３ｂ）と複数の止めネジ（１７）（１７）により固定支持した仕様のテーブル用衝立（Ｐ１）（Ｐ２）として使用すれば良い。
【００４５】
他方、図１０に例示する如く、事務所の机（Ｄ）における天板（１０）上へ載置して、その天板（１０）上の空間を自立した仕切り板（１２）での横断状態に仕切ることにより、その対面する事務員同士の向かい合う相互間において、その会話中に飛沫が飛び交うことを遮断し、やはり各種ウイルスの飛沫感染を予防するために使用することもできる。
【００４６】
その際、仕切り板（１２）としては対面する事務員同士が互いに透視できる透明のアクリル樹脂パネルやＰＥＴ樹脂パネルを採用することが望ましい。また、上記机（Ｄ）における天板（１０）の幅寸法（Ｗ）が広く、横辺（Ｙ）の長い大型の仕切り板（１２）にあっては、その仕切り板（１２）の一定間隔を保つ２個所やそれ以上の複数個所を、一対のアングル受け座（１３）（１３）（１３ａ）（１３ｂ）と複数の止めネジ（１７）（１７）により固定支持した仕様のテーブル用衝立（Ｐ１）（Ｐ２）として使用すれば良い。
【００４７】
尚、図１０に例示するテーブル用衝立（Ｐ１）（Ｐ２）の仕切り板（１２）については、その中央部に事務書類などの受け渡しを行える適当な大きさの窓口（図示省略）を切り欠き形成しても良い。
【００４８】
要するに、上記テーブル用衝立（Ｐ１）（Ｐ２）としては台板（１１）と一対のアングル受け座（１３）（１３）（１３ａ）（１３ｂ）がすべて同じ（共通）であって、仕切り板（１２）だけがその横辺（Ｙ）と縦辺（Ｈ）並びに厚み（Ｔ）の異なる各種として組み立てられた仕様を有しており、その各種仕様からカウンター（Ｃ）や机（Ｄ）、食卓などの設置個所に応じたものを選択使用されるようになっている。
【００４９】
何れにしても、上記テーブル用衝立（Ｐ１）（Ｐ２）の仕切り板（１２）は両アングル受け座（１３）（１３）（１３ａ）（１３ｂ）の仕切り板受け入れ凹溝（Ｇ）へ差し込み垂立された状態として、複数の止めネジ（１７）（１７）によりアングル受け座（１３）（１３）（１３ａ）（１３ｂ）の垂直板片（１５）（１５）へ押し付け固定又は挟み付け固定されているため、決して抜け出すおそれがなく、しかも両アングル受け座（１３）（１３）（１３ａ）（１３ｂ）とその共通する台板（１１）はスチールプレートから成り、重錘（言わば文鎮）として機能するため、天板（１０）上へ単に載置するだけで安定良く確固に自立し、不慮に転倒したり、仕切り位置の狂ったりするおそれはない。
【００５０】
更に、一対のアングル受け座（１３）（１３）（１３ａ）（１３ｂ）に共通する台板（１１）は図示実施形態の場合、幅：５８ｍｍ×長さ：１５０ｍｍの長方形をなし、仕切り板（１２）から相反する横方向（左右両方向／前後両方向）へ大きく張り出さない小型のスチールプレートであるため、テーブル用衝立（Ｐ１）（Ｐ２）の据え立てスペースが狭小で足り、その使用上の制約を受けない効果も得られる。その小型のスチール製台板（１１）であっても、自らの重量によって衝立（Ｐ１）（Ｐ２）を安定な自立状態に確保し得るのである。
【符号の説明】
【００５１】
（１０）・・・・天板
（１１）・・・・台板
（１２）・・・・仕切り板
（１３）（１３ａ）（１３ｂ）・・・アングル受け座
（１４）・・・水平板片
（１５）・・・垂直板片
（１６）・・・止めネジ受け入れ用ネジ孔
（１７）・・・六角穴付き止めネジ
（１８）・・・皿ビス
（１９）・・・皿穴
（２０）・・・皿ビス受け入れ用ネジ孔
（Ｃ）・・・・カウンター
（Ｄ）・・・・机
（Ｇ）・・・・仕切り板受け入れ凹溝
（Ｐ１）（Ｐ２）・・・テーブル用衝立
【図１】
0003227891.tif 000003
【図２】
0003227891.tif 000004
【図３】
0003227891.tif 000005
【図４】
0003227891.tif 000006
【図５】
0003227891.tif 000007
【図６】
0003227891.tif 000008
【図７】
0003227891.tif 000009
【図８】
0003227891.tif 000010
【図９】
0003227891.tif 000011
【図１０】
0003227891.tif 000012